(57)【要約】      （修正有）【課題】安全で環境に優しく、且つ、経済的で誰もが容易に取り扱える生ゴミ堆肥化用蚯蚓育養箱を提供する。【解決手段】不透明な樹脂等の再生リサイクル部材で形成され、且つ、左右に取手１ａをそれぞれ有し、上面周囲に通気用穴１ｂを複数設けた上蓋１と、周囲側面を複数の横板２を接合係止して包囲し、且つ、左右に取手をそれぞれ設ける。さらに、下面部に複数の通気用穴を有する底板３を組み合わせて設けた複数段の箱体と、箱体の下面に液肥の受皿４ａと受皿の外周に複数の通気用穴をそれぞれ設け、受皿下面に液肥Ｌの排出穴４ｃを設けた脚部４から成る。【選択図】図４
0003153931.tif 000002
【実用新案登録請求の範囲】
【請求項１】
生ゴミを堆肥化し、家庭菜園やガーデニング等に利用する為の蚯蚓育養箱において、該蚯蚓育養箱は不透明な樹脂等の再生リサイクル部材で形成され、且つ、左右に取手（１ａ）をそれぞれ有し、上面周囲に通気用穴（１ｂ）を複数設けた上蓋（１）と、周囲側面を複数の横板（２）を接合係止して包囲し、且つ、左右に取手（３ａ）をそれぞれ有し、下面部に複数の通気用穴（３ｂ）を有する底板（３）を組み合わせ嵌着して設けた複数段の箱体と、箱体の下面に液肥（Ｌ）の受皿（４ａ）と受皿の外周に複数の通気用穴（４ｂ）をそれぞれ設け、受皿下面に液肥排出穴（４ｃ）を設けた脚部（４）から成る事を特徴とする生ゴミ堆肥化用蚯蚓育養箱。
【考案の詳細な説明】
【技術分野】
【０００１】
この考案は、生ゴミを堆肥化し、家庭菜園やガーデニング等に利用する為の生ゴミ堆肥化用蚯蚓育養箱に関するものである。
【背景技術】
【０００２】
従来の蚯蚓コンポスト容器は市場において既製品が少なく、自主製作品は製造に手間が掛かり、機能が充分でなかった。又、既製品は価格が高く、堆肥の取り出しが容易でなかった。又、生ゴミを処理する電動式の生ゴミ処理機には大きく分けて２種類あり、その一つは高温の温風で生ゴミを乾燥処理する乾燥式と、もう一つは送風乾燥してからバイオ処理するハイブリッド式があるが、何れも電動式の為当然ながら電気代（処理費用）が掛かり、また騒音や振動やＣＯ2の排出問題等様々な形で環境に悪影響を及ぼすことに成る。
【０００３】
そこで、この考案は環境に優しい蚯蚓を使った生ゴミ堆肥化用蚯蚓育養箱（生ゴミコンポスト容器）を開発し、生ゴミ処理に使用する化石燃料を大量に消費し、ダイオキシンや地球温暖化の一因であるＣＯ2を発生させないで生ゴミの処理を可能にすることを目的とするものである。
【先行技術文献】
【特許文献】
【０００４】
これまでに出願されている生ゴミ処理に関する特許文献を参考の為、紹介する（特許文献１参照）。
【特許文献１】特許公開平１１−１５６３３３
【考案の概要】
【考案が解決しようとする課題】
【０００５】
そこで、上記課題を解決する為に、この考案は安全で環境に優しく、且つ、経済的で誰もが容易に取り扱える生ゴミ堆肥化用蚯蚓育養箱を開発・提供する事にある。
【課題を解決するための手段】
【０００６】
課題を解決するための手段として、不透明な樹脂等の再生リサイクル部材で形成され、且つ、左右に取手をそれぞれ有し、上面周囲に通気用穴を複数設けた上蓋と、周囲側面を複数の横板を接合係止して包囲し、且つ、左右に取手をそれぞれ有し、下面部に複数の通気用穴を有する底板を組み合わせて設けた複数段の箱体と、箱体の下面に液肥の受皿と受皿の外周に複数の通気用穴をそれぞれ設け、受皿下面に液肥排出穴を設けた脚部から成るものである。
【考案の効果】
【０００７】
この考案の効果として、不透明な樹脂等の再生リサイクル部材で形成され、且つ、左右に取手をそれぞれ有し、上面周囲に通気用穴を複数設けた上蓋と、周囲側面を複数の横板を接合係止して包囲し、且つ、左右に取手をそれぞれ有し、下面部に複数の通気用穴を有する底板を組み合わせて設けた複数段の箱体と、箱体の下面に液肥の受皿と受皿の外周に複数の通気用穴をそれぞれ設け、受皿下面に液肥排出穴を設けた脚部から成る事で、化石燃料を使用しない為、ダイオキシンや地球温暖化の一因であるＣＯ2を発生しない為、環境に優しく、且つ、家庭菜園やガーデニング堆肥として利用可能な為、非常に経済的であり、又、多段式構造にする事で蚯蚓や生ゴミと堆肥の分離性を向上させ、且つ、通気性を重視して上から下まで通気孔を設けることにより、箱内の好気性状態を保ち、生育環境を向上させ、底板を１段下げて下段の土壌と接着し易く、又、底板に勾配を設けて液肥の排出を容易にし、更に組立作業及びメインテナンス作業の容易性、輸送コストの削減等、極めて有益なる効果を奏するものである。
【図面の簡単な説明】
【０００８】
【図１】この考案の一実施例を示し、（Ａ）は生ゴミ堆肥化用蚯蚓育養箱の平面図で、（Ｂ）は正面図である。
【図２】この考案の一実施例を示し、図１（Ａ）のａ−ａ矢視断面である。
【図３】この考案の一実施例を示し、組立要領を示す斜視図である。
【図４】この考案の使用例の概要を示し、正面視断面図である。
【考案を実施するための形態】
【０００９】
考案を実施するための形態として、生ゴミを堆肥化し、家庭菜園やガーデニング等に利用する為の蚯蚓育養箱において、該蚯蚓育養箱は樹脂等の再生リサイクル部材で形成され、且つ、左右に取手（１ａ）をそれぞれ有し、上面周囲に通気用穴（１ｂ）を複数設けた上蓋（１）と、周囲側面を複数の横板（２）を接合して包囲し、且つ、左右に取手（３ａ）をそれぞれ有し、下面部に複数の通気用穴（３ｂ）を有する底板（３）を組み合わせて設けた複数段の箱体と、箱体の下面に液肥（Ｌ）の受皿（４ａ）と受皿の外周に複数の通気用穴（４ｂ）をそれぞれ設け、受皿下面に液肥排出穴（４ｃ）を設けた脚部（４）から成る事を特徴とする生ゴミ堆肥化用蚯蚓育養箱から構成される。
【実施例１】
【００１０】
そこで、この考案の一実施例を図１〜図２に基づいて詳述すると、まず生ゴミ堆肥化用蚯蚓育養箱の素材は不透明な再生プラスチック等の樹脂製で形成され、大きさは床面積が４０ｍｍ×４０ｍｍ（約０．１６ｍ2）で、処理能力は１ｍ2当たり約５０００匹〜約１
００００匹の蚯蚓（Ｅ）が繁殖し、体重にして約２０００ｇ〜４０００ｇで、生ゴミを１ｋｇ〜２ｋｇ程度食べる為、一日に体重の半分約１８０ｇ〜３２０ｇの処理が可能になる。
【００１１】
そして、この蚯蚓育養箱は図１に示すように、一枚の上蓋（１）と、四枚の横板（２）を正四角形状に組み合わせて側枠を形成し、且つ、側枠の底面部に底板（３）を組み合わせて成る上段・中段・下段の三段重ねに設けた箱体と、脚部（４）から成り、且つ、該上蓋（１）の左右両端には取手（１ａ）（１ａ）と、上面周囲には複数個の通気用穴（１ｂ）をそれぞれ設け、且つ、該横板（２）の両端上下には係止用凹部（２ａ）（２ａ）と係止用凸部（２ｂ）（２ｂ）の係止部をそれぞれ設けて、係止用凹部（２ａ）と係止用凸部（２ｂ）を交互にそれぞれ接合係止して四角形状の側板を形成し、且つ、該底板の左右には取手（３ａ）（３ａ）と、段違い溝部の全域には通気用穴（３ｂ）をそれぞれ設け、且つ、該却部（４）の底板上面には液肥（Ｌ）を蓄積する為の受皿（４ａ）と、受皿の下面には液肥が流れ易くする為の勾配が設けられ、受皿の底板下面に排出穴（４ｃ）を設けている。
【００１２】
又、上記底板の外周部には、図２（Ｂ）（Ｃ）に示す様に横板（２）及び脚部（４）の外周側板を案内する為の案内板（３ｅ）（３ｆ）がそれぞれ上下一体に設けられ、且つ、底板（３）の上面内周部及び上部案内板（３ｅ）内周面には横板（２）を固着係止する為の係止用爪部（３ｃ）と係止用突起部（３ｄ）が設けられている。
【００１３】
次に、蚯蚓育養箱本体の組立要領を説明すると、図３に示すように最初に四枚の横板（２）の左右両端に設けた凹部（２ａ）と凸部（２ｂ）をそれぞれ交互に接合して四角形状の側枠と底板（３）を組み合わせた箱体を三段に重合して形成し、その三段の箱体を却部（４）の上面に載せ、更に箱体の最上部に上蓋（１）を載せて完了する。
【００１４】
次に、実際に使用する時は、図４（概要図）に示すように、最初に予め脚部（４）下面に設けた排出穴（４ｃ）部にペットボトル等の容器をセットする。そして、箱体上段部には生ゴミ（Ｇ）を入れ、箱体中段部には生ゴミ（Ｇ）と蚯蚓（Ｅ）（最初は約５００匹程度から除々に増量する）を混入し、箱体下段部には腐葉土（Ｇ'）を入れて使用するが、前記腐葉土（Ｇ'）には当分環境に成れるまでは、蚯蚓（Ｅ）が大好物なココナッツ繊維を入れて除々に慣らしながら生ゴミ（Ｇ）を入れていく。そして、使用を続けると蚯蚓（Ｅ）の液肥（Ｌ）が底板下面に設けた通気用穴（３ｂ）から流れ落ち、脚部（４）の受皿（４ａ）に蓄積し、除々に排出穴（４ｃ）から流れ落ち予め用意したペットボトル等の容器（Ｂ）に排出される為、いっぱいに成ったら希釈して草花等に液肥として使用ができる。
【産業上の利用可能性】
【００１５】
この考案の生ゴミ堆肥化用蚯蚓育養箱は、安全で環境に優しく、且つ、経済的で誰もが容易に取り扱える事で、多くの一般家庭及び地域に寄与し、更に生ゴミ減産という社会環境、地球環境に寄与する為、産業上の利用可能性を有する。
【符号の説明】
【００１６】
１  上蓋
１ａ  取手
１ｂ  通気用穴
２  横板
２ａ  凹部
２ｂ  凸部
２ｃ  係止溝
３  底板
３ａ  取手
３ｂ  通気用穴
３ｃ  係止用爪部
３ｄ  係止用突起部
３ｅ  案内板（上）
３ｆ  案内板（下）
４  却部
４ａ  受皿
４ｂ  通気用穴
４ｃ  排出穴
Ｂ  容器
Ｇ  生ゴミ
Ｇ'  腐葉土
Ｅ  蚯蚓
Ｌ  液肥
Ｖ  開閉用弁
【図１】
0003153931.tif 000003
【図２】
0003153931.tif 000004
【図３】
0003153931.tif 000005
【図４】
0003153931.tif 000006